(57)【要約】【課題】従来、メータユニットがメータボックス内の適切な位置に配置できていないと、配管端末とメータユニットとの間にずれを生じて接合作業が面倒になるほか、水道メータの交換が面倒になり多くの時間と労力を要するという問題があった。【解決手段】メータボックスの下枡１に着合するベースフレーム４上に止水栓、逆止弁等を設定し、これをユニットとしてメータボックスの下枡内の所定位置に位置決め、固定可能に構成し、これをメータボックスの下枡の底板に設けた貫通穴とベースフレームの長孔部に嵌合する弾性素材の固定機構部材によってメータボックス内の所定位置に位置決め、固定するように構成した。【選択図】図２
2019190147.tif 000002
【特許請求の範囲】
【請求項１】
メータボックスの下枡に載置するベースフレーム上に止水栓、逆止弁等を設定固定し、これをユニットとしてメータボックスの下枡内の所定位置に位置決め、固定可能に構成し、これをメータボックスの下枡の底板に設けた貫通穴とベースフレームの底部孔に嵌合する弾性素材の固定機構部材によってメータボックス内の所定位置に位置決め、固定するように構成したメータユニットの位置決め、固定方法。
【請求項２】
ゴム等の弾性素材によって構成され、本体胴部の底面部に、メータボックスの下枡に形成された貫通穴の１次側に嵌合する１次側突起、２次側に嵌合する２次側突起が突設され、本体胴部に、本体胴部の１次側と２次側にそれぞれ突設され、ベースフレームの底部長孔に嵌合する張出し部を有するメータユニットの固定機構部材。
【請求項３】
本体胴部の上面に、流水方向を示す矢印等の表示を施すようにした請求項２記載のメータユニットの固定機構部材。
【発明の詳細な説明】
【技術分野】
【０００１】
本発明は、メータボックス内の所定位置に止水栓、逆止弁等を設定固定し、これをユニットとしてメータボックス内の所定位置に位置決め、固定するメータユニットの位置決め固定方法と、その位置決め、固定方法に用いる固定機構部材に関するものである。
【背景技術】
【０００２】
メータボックス内にメータユニットを設置する際に、メータユニットがメータボックスの適切な位置に配置されていないと、メータ交換等の作業に支障を来たし、多くの時間と無駄な労力を費やさざるを得ないという問題があった。
【０００３】
従来、このような問題に対して、例えば特許文献１記載のように、スポンジゴムで作った緩衝材をメータユニットのベースの両端部分に接着剤を用いて接合しメータボックスの側壁部と接触させるように載置することで、メータボックス内でのメータユニットの長手方向の動きを抑制してメータユニットを位置決め固定する方法が採られてきた。
【０００４】
しかしながら、この方法の場合、設置時に限らず何らかの原因により緩衝材の接着が剥がれた際に緩衝材としての性能が発揮されない恐れがあり、また、ベース両端に接合される緩衝材の両端面間の長さが決まっているため、緩衝材の性能を発揮する上で、設置するメータボックスの長手方向の長さが制約される問題がある。
【０００５】
また、更なる対応として特許文献２記載のように、金属板にボルトを溶着した固定板の上に、メータボックスの底板とメータユニットのベースをそれぞれに設けられた貫通穴にボルトを嵌め合わせて載置し、ナットで締め付けて締結する方法も行われた。この方法の場合、コストが高くなるうえ、取付けの際にレンチ等の工具が必要となる問題があった。
【先行技術文献】
【特許文献】
【０００６】
【特許文献１】登録実用新案第３１９１０３７号公報
【特許文献２】特開２０１５−１８３４０９号公報
【発明の概要】
【発明が解決しようとする課題】
【０００７】
止水栓、逆止弁等から成るメータユニットがメータボックス内の適切な位置に配置できていないと、配管端末とメータユニットとの間にずれを生じて接合作業が面倒になるほか、メータ交換等の作業にも多くの時間と労力を要することになる。
【０００８】
本発明は、メータボックス内におけるメータユニットの位置決め及び固定を簡便に行えない問題に対処し、従来、ベース両端に接合される緩衝材の両端面間の長さが決まっていることによるメータボックスの長手方向の長さの制約問題にも対処するものである。
【０００９】
更に、従来、メータボックス内に流水方向の１次側と２次側を示す明確な指標が存在しなかったため、メータや部材の逆付けという重大な問題を招きかねない恐れもあった。
【課題を解決するための手段】
【００１０】
本発明は上記した課題に対応しようとするものであり、メータボックス内の所定位置に設定するため、下枡に載置するベースフレームに止水栓、逆止弁等を設定固定し、これをユニットとしてメータボックスの下枡内の所定位置に位置決め、固定可能に構成したメータユニットとして構成し、これをメータボックスの下枡の底板に設けた貫通穴に嵌合する弾性素材の固定機構部材によってメータボックス内の所定位置に位置決め、固定するように構成した。
【００１１】
この構成により、メータボックス内にメータユニットを仮載置後、ベースフレームとメータボックスの下枡に固定機構部材を嵌め合わせてメータボックス内の所定位置にメータユニットを装着することになるので、メータボックス内におけるメータユニットの位置調整が可能となり、適切な位置への位置決めと固定が可能となった。
【００１２】
更に、固定機構部材の装着はメータボックスの底板中央又はその近傍に行われるので、メータボックスの長手方向の長さに制約がなく装着部位の位置決めが可能となるほか、弾性素材が用いられているため、ベースフレームの塗装による塗装厚さのばらつきが生じるような際にも固定機構部材の拡縮により寸法差の吸収が行われ、寸法差の許容範囲が拡張される。また、弾性素材の使用により従来よりも安価となり、手で嵌め込むだけの簡易な使用方法のため工具も不要である。
【発明の効果】
【００１３】
本発明は、以上のように構成したことにより、従来、多大な時間と労力を要したメータボックス内におけるメータユニットの位置決めと固定について固定機構部材の嵌合わせによって簡易迅速に行える効果があるものである。
【図面の簡単な説明】
【００１４】
【図１】本発明の実施例を示すもので、固定機構部材下面に設定された嵌合突起を嵌合する貫通穴の設定状況を示すメータユニットを載置する前のメータボックスの下枡の平面図。
【図２】同じく、メータボックスの下枡にメータユニットを載置固定した状態を示す、ベースフレームと下枡部分を断面とした構造を示す要部縦断面正面図。
【図３】同じく、メータボックスの下枡にメータユニットを載置固定した状態を示すメータボックスの下枡の全体平面図。
【図４】同じく、メータユニットに設定された進退支持部材とメータ受け支持部材及び固定機構部材の配置状況を示す同部材の平面図。
【図５】同じく、メータユニットに止水栓、水道メータ、逆止弁等を設定した状態を示す同部材の正面図。
【図６】同じく、ベースフレームとメータボックスの下枡に対する固定機構部材嵌合突起の嵌合状態を示す図３におけるＡ−Ａ断面図。
【図７】同じく、固定機構部材の形状を示す同部材の平面図。
【図８】同じく、固定機構部材の形状を示す同部材の正面図。
【図９】同じく、固定機構部材の形状を示す同部材の右側面図。
【図１０】同じく、固定機構部材の形状を示す同部材の底面図。
【発明を実施するための形態】
【００１５】
以下、図面に基づいて本発明の実施の形態を説明する。
１はメータボックスの下枡で、中央部長手方向に固定機構部材５の下面に設定された嵌合突起５１を嵌合する貫通穴１１が１次側１１ａと２次側１１ｂに別れて設定されている。１２は水抜き穴である。
【００１６】
固定機構部材５の下面に設定された嵌合突起５１は、本体胴部の１次側端部又はその近傍と２次側端部又はその近傍に突設され、１次側突起５１ａが貫通穴１１ａに、２次側突起５１ｂが貫通穴１１ｂにそれぞれ嵌合する。なお、本体胴部の上面には流水方向を示す矢印５４が表示され、流水方向を確認できるようになっている。また、同部には、更に、使用する水道メータの呼び径を表示しても良い。なお、固定機構部材５の下面に設定された嵌合突起は、ボックス下枡の形状により１又は複数としても良い。
【００１７】
固定機構部材５の使用方法として、先ず、メータボックスの下枡１にメータユニットを仮載置する。次に固定機構部材５をベースフレーム４の底部長孔４２を通してメータボックスの下枡１の貫通穴１１に固定機構部材５の下面に設定された嵌合突起５１を嵌合する。または、メータボックスの下枡１に固定機構部材５を嵌め込み、固定機構部材５の本体胴部の張出し部にベースフレーム４の底部長孔４２を嵌合固定することも可能であり使用順序は問わない。
【００１８】
固定機構部材５は、ゴム等の弾性素材によって構成され、本体胴部の１次側端部又はその近傍の両側に１次側張出し５２、２次側端部又はその近傍の両側に２次側張出し５３が形成され、これがベースフレーム４の底部長孔４２の側面に嵌合し、嵌合突起５１のメータボックスの下枡の貫通穴１１への嵌合と相俟ってメータボックスの下枡１と固定機構部材５、固定機構部材５とベースフレーム４の安定的嵌合が図られるようになっている。なお、固定機構部材５の本体胴部の張出しは、ベースフレームの形状により１又は複数としても良い。
【００１９】
ベースフレーム４は、１次側に止水栓２を備える進退支持部材２１、２次側に逆止弁３を内蔵するメータ受け支持部材３１を備え、水道用メータＭの１次側端部Ｍ１を進退支持部材２１に、２次側端部Ｍ２をメータ受け支持部材３１に当接し、進退支持部材２１を回動して端部を推進させて水道用メータＭを押し、２次側端部Ｍ２をメータ受け支持部材３１に押し付けることによって進退支持部材２１とメータ受け支持部材３１の間に水道用メータＭを挟着するものである。なお、４１はベースフレーム４のメータ逆付防止突起である。
【００２０】
水道用メータＭの両接合端部とベースフレーム４上に設定された支持部材２１、３１との位置合わせが完了すると、支持部材２１の端部推進により水道用メータＭは支持部材２１、３１との間に挟着支持される。
【産業上の利用可能性】
【００２１】
本発明に係るメータユニットの位置決め、固定方法と、その位置決め、固定に用いる固定機構部材は、上記のように、メータボックス内におけるメータユニットの位置決め及び固定を簡便に行えない問題に対処し、従来、設置作業性にも問題のあったメータユニットの構成について、作業効率を高めると共に、弾性素材による固定機構部材により設置作業性を高めたもので水道機器産業において利用することができる。
【符号の説明】
【００２２】
１        メータボックスの下枡
１１      メータボックスの下枡の貫通穴
１１ａ    １次側貫通穴
１１ｂ    ２次側貫通穴
１２      下枡の水抜き穴
２        止水栓
２１      進退支持部材
３        逆止弁
３１      メータ受け支持部材
４        ベースフレーム
４１      ベースフレームのメータ逆付防止突起
４２      ベースフレームの底部長孔
５        固定機構部材
５１      固定機構部材の嵌合突起
５１ａ    固定機構部材の１次側突起
５１ｂ    固定機構部材の２次側突起
５２      固定機構部材の１次側張出し
５３      固定機構部材の２次側張出し
５４      固定機構部材の本体胴部の上面の流水方向を示す矢印
Ｍ        水道用メータ
Ｍ１      水道用メータの１次側端部
Ｍ２      水道用メータの２次側端部
【図１】
2019190147.tif 000003
【図２】
2019190147.tif 000004
【図３】
2019190147.tif 000005
【図４】
2019190147.tif 000006
【図５】
2019190147.tif 000007
【図６】
2019190147.tif 000008
【図７】
2019190147.tif 000009
【図８】
2019190147.tif 000010
【図９】
2019190147.tif 000011
【図１０】
2019190147.tif 000012